(57)【要約】      （修正有）【課題】摘み部の動作をワンストロークにし、その上下両端位置で周方向への回動動作をなくすることと、長条穴部も正面側から見て目立たないようにする丸落しを提供する。【解決手段】開き戸金物の一つである丸落し１０である。本体部１１が被取付部材に固定される取付部１１ｔと、丸棒１３の往復動を案内する筒状案内部１２とからなる。筒状案内部１２にはその長手方向に長条穴部１４が形成され、この長条穴部１４から丸棒１３の摘み部１５が突出する。筒状案内部１２の長手方向には所定間隔で３個の貫通穴１８を穿設し、この貫通穴１８に対応する丸棒１３の位置に２個の孔部を形成する。この孔部内にコイルスプリングと鋼球を配設し、この鋼球を孔部の開口部から出没可能とする。これにより鋼球が筒状案内部１２の貫通穴１８と適合して丸棒１３の位置が固定され、受金６０との係合・解除が行われる。【選択図】図１
0003156694.tif 000002
【実用新案登録請求の範囲】
【請求項１】
本体部と、この本体部の長手方向に所定長さ分往復動する丸棒と、この丸棒の先端部分を受ける受金とからなり、前記丸棒先端部分が受金の穴部に係合して開き戸等を閉止することができる丸落しにおいて、
本体部(11)が、被取付部材に固定される取付部(11t)と、丸棒(13)の往復動を案内する筒状案内部(12)とからなり、
筒状案内部(12)にはその長手方向に長条穴部(14)が形成され、この長条穴部(14)から丸棒(13)に固定された摘み部(15)が外側に突出し、この摘み部(15)が前記長条穴部(14)の両端部に当接することにより丸棒(13)の往復動の範囲が規定され、
前記筒状案内部(12)の長手方向には所定間隔で複数の貫通穴(18, 18, 18)を穿設し、この貫通穴(18)に対応する丸棒(13)の所定位置には少なくとも１個の孔部(13h)を形成し、この孔部(13h)内にコイルスプリング(17)等の弾発部材と鋼球(19)等のストッパー用ボールを配設し、前記ストッパー用ボールを前記孔部(13h)の開口部から出没自在とし、
これにより、ストッパー用ボールが筒状案内部(12)に形成された貫通穴(18)と適合して丸棒(13)の位置が固定されて受金(60, 65)との係合又は係合解除が行われることを特徴とする丸落し。
【請求項２】
筒状案内部(12)には少なくとも３個の貫通穴(18, 18, 18)を設け、この貫通孔(18)に対応する丸棒(13)の所定位置には少なくとも２個の孔部(13h, 13h)を形成し、この孔部(13h)内に弾発部材とストッパー用ボールを配設したことを特徴とする請求項１に記載の丸落し。
【請求項３】
筒状案内部(12)に形成した長条穴部(14)を筒状案内部(12)の左又は右側面側に設けたことを特徴とする請求項１又は２に記載の丸落し。
【請求項４】
筒状案内部(12)に設けた貫通穴(18)を筒状案内部(12)の左又は右側面側に設け、この貫通穴(18)に対応する位置に丸棒(13)の孔部(13h)を形成したことを特徴とする請求項１乃至３の何れか１項に記載の丸落し。
【考案の詳細な説明】
【技術分野】
【０００１】
本考案は、開き戸や門扉等の開閉部縁部に設けて、これら開き戸等を閉鎖して固定するために使用する金物の一種である丸落しに関するものである。
【背景技術】
【０００２】
図３は、従来の丸落しに関する全体説明図である。
例えば観音開きの開き戸等の閉止用金具としてこの図に示す丸落し５０が使用されるが、この丸落し５０は、一方の側の開き戸の縁部に固定される本体部５１と、他方の側の開き戸の縁部に固定される受金６０とから成る。
【０００３】
本体部５１には、その長手方向（図では上下方向）に筒状案内部５２が形成され、この筒状案内部５２内を丸棒５３がその長手方向に往復動するように設けられている。
筒状案内部５２には、その長手方向に長条穴部５４が設けられ、その長条穴部５４の両端部には周方向に切込部５４ｋが設けられている。
【０００４】
これら長条穴部５４及び切込部５４ｋ、５４ｋに案内されて、丸棒５３に突設された摘み部５５が丸棒と共に上下方向に往復動を行い、その長条穴部５４の両端部で周方向に回動される。
即ち、この摘み部５５によって、丸棒５３の上下方向の往復動の距離が規制され、この摘み部５５を周方向に回動させることにより一応のロックが掛かるのである。
【０００５】
この丸棒５３の先端部が受金６０に設けられた穴部６３に嵌入することにより、本体部５１の丸棒５３と受金６０が相互に係合され、開き戸等が閉止されるのである。
即ち、一方の開き戸の縁部に本体部５１が螺子等により固定され、他方の開き戸の縁部に受金６０が螺子等により固定され、これら開き戸の両側が相互に閉止接合されることにより、本体部５１の丸棒５３と、受金６０の穴部６３の中心軸線がほぼ一致して、丸棒５３の摘み部５５を上方から下方に押し下げることにより、丸棒５３の先端部５３ｓが受金６０の穴部６３内に嵌入して、固定され、開き戸が閉止されるのである。
【０００６】
摘み部５５が下方端に押し下げられた後は、その摘み部５５を周方向に回動して切込部５４ｋ内に適合させることにより、摘み部５５の上下方向の動きが阻止され、完全ではないが、一応ロックされた状態となる。
尚、図中６５に示すのは、他の形態の受金を図示したものであり、この受金６５は、取り付ける部位に応じて、上記受金６０の代わりに使用するもので、例えば門扉等の側縁部下端に本体部５１を固定した場合には、その地面側にこの受金６５を固定することにより、本体部５１の丸棒５３の先端部５３ｓをその受金６５の穴部６３に係合させ、門扉を閉止することができるものである。通常市販されている丸落しには、この受金６０及び受金６５の２つのタイプが同梱されている。
【考案の概要】
【考案が解決しようとする課題】
【０００７】
上記従来の丸落しにおいては、先ず本体部正面の一番目に付く部位の長手方向に長条穴部が設けられ、そのデザイン上そのスマートさが損なわれている。
次に、摘み部を上下動させて開閉を行うが、その両端部で丸棒が移動してしまわないように一応のロックをするために、筒状案内部の周方向に摘み部を回動させる動作が必要となり、開閉動作が２ストロークとなる。
【０００８】
本考案では、これらの点を改良すべく、摘み部の動作をワンストロークにして、その上下両端位置で周方向への回動動作をなくすることをその第一の課題としている。
また、長条穴部も正面側から見てあまり目立たないようにすることも本考案の課題となる。
その他、その外観をよりスマートなものとすることをその課題とするものである。
【課題を解決するための手段】
【０００９】
上記課題を解決するために、本考案の第１のものは、本体部と、この本体部の長手方向に所定長さ分往復動する丸棒と、この丸棒の先端部分を受ける受金とからなり、前記丸棒先端部分が受金の穴部に係合して開き戸等を閉止することができる丸落しにおいて、本体部が、被取付部材に固定される取付部と、丸棒の往復動を案内する筒状案内部とからなり、筒状案内部にはその長手方向に長条穴部が形成され、この長条穴部から丸棒に固定された摘み部が外側に突出し、この摘み部が前記長条穴部の両端部に当接することにより丸棒の往復動の範囲が規定され、前記筒状案内部の長手方向には所定間隔で複数の貫通穴を穿設し、この貫通穴に対応する丸棒の所定位置には少なくとも１個の孔部を形成し、この孔部内にコイルスプリング等の弾発部材と鋼球等のストッパー用ボールを配設し、前記ストッパー用ボールを前記孔部の開口部から出没自在とし、これにより、ストッパー用ボールが筒状案内部に形成された貫通穴と適合して丸棒の位置が固定されて受金との係合又は係合解除が行われることを特徴とする丸落しである。
【００１０】
本考案の第２のものは、上記第１の考案において、筒状案内部には少なくとも３個の貫通穴を設け、この貫通孔に対応する丸棒の所定位置には少なくとも２個の孔部を形成し、この孔部内に弾発部材とストッパー用ボールを配設したことを特徴とする丸落しである。
【００１１】
本考案の第３のものは、上記第１又は第２の考案において、筒状案内部に形成した長条穴部を筒状案内部の左又は右側面側に設けたことを特徴とする丸落しである。
ここで、左又は右側面側とあるのは、本体部を被取付部材に固定した際に、その被取付部材に対面した側から見た方向を正面側として、その左又は右側面側を意味する（以下同じである。）。
【００１２】
本考案の第４のものは、上記それぞれの考案において、筒状案内部に設けた貫通穴を筒状案内部の左又は右側面側に設け、この貫通穴に対応する位置に丸棒の孔部を形成したことを特徴とする丸落しである。
【考案の効果】
【００１３】
本考案の第１のものにおいては、本体部の筒状案内部と丸棒との開閉位置での固定方法が従来のものと全く異なり、筒状案内部の長手方向に所定間隔で設けた複数の貫通穴と、この貫通穴に対応する丸棒の位置に設けた孔部内の弾発部材とストッパー用ボールとの適合によって成されているために、丸棒を上下に移動させる動作のみで同時に固定も行われるために、丸棒の摘み部を回動させる必要が無く、１（ワン）ストロークで開閉動作を行う事ができることとなる。
【００１４】
本考案の第２のものにおいては、前記貫通穴を少なくとも３個設け、これに対応する丸棒の側には孔部を少なくとも２個設けたことにより、この少なくとも２個の孔部によりストッパー用ボールが２個筒状案内部の内周面を摺動することととなり、丸棒の中心軸と筒状案内部の筒状空間の中心軸とが略並行となり、丸棒の往復動が滑らかになるという効果が生じるのである。
従って、ストッパー用ボールが１個のときに比較すると、それが２個以上となることにより丸棒の往復動がより滑らかになるということになる。
【００１５】
本考案の第３のものにおいては、筒状案内部の長手方向に設けた長条穴部がその左又は右側面側に設けられているために、正面側からはその長条穴部が見え難くなり、よりスマートが外観を呈する事となる。
【００１６】
本考案の第４のものにおいても、上記第３のものと同様に、筒状案内部に設ける貫通穴をその左又は右側面側に設けたことにより、正面側からその貫通穴が見え難くなり、その外観がよりスマートなものとなる。
【図面の簡単な説明】
【００１７】
【図１】本考案に係る丸落しの一実施形態の全体斜視図である。
【図２】上記実施形態の本体部側の全体中央縦断面図である。
【図３】従来の丸落しに関する全体説明図である。
【考案を実施するための形態】
【００１８】
以下、添付の図面に基づき本考案の一実施形態について説明する。
図１は、本考案に係る丸落し１０の一実施形態の全体斜視図である。
本考案に係る丸落し１０は、本体部１１と受金６０とから成る。
本体部１１は、被取付部材に螺子により固定される取付部１１ｔ、１１ｔと、これら取付部１１ｔ、１１ｔから正面側に起立する起立部１１ｋと、この起立部１１ｋの正面側に形成された筒状案内部１２を有する。
【００１９】
実際には、略矩形形状のステンレス鋼板を金型を用いてプレス成形を行って形成する。
前記筒状案内部１２には、その内部に丸棒１３が上下方向に摺動するように形成され、その筒状案内部１２の正面側から見て右側面に長条穴部１４が形成され、この長条穴部１４に案内されるように摘み部１５が丸棒１３に突設されている。
【００２０】
この摘み部１５は、その基端部に雄ネジが形成されており、丸棒１３に螺合されているものである。
この摘み部１５が長条穴部１４に案内されることにより、丸棒１３の長手方向摺動長さが規制される。
【００２１】
更に、筒状案内部１２の長手方向には、貫通穴１８が３個、同一間隔で直線状に列設されている。
この貫通穴１８に、次図で説明するストッパー用ボールが係合又は適合して丸棒１３の固定を行うことができるのであるが、後述する。
他方、丸棒１３の下端の先端部１３ｓは、受金６０の穴部６３に嵌入して、開き戸等を閉止することができることなるのである。
【００２２】
即ち、本体部１１の取付部１１ｔを、例えば一方の開き戸の側縁部に固定し、受金６０は他方の開き戸の側縁部に予め固定しておき、本体部１１の丸棒１３は、その摘み部１５を上方位置に配置した状態で、開き戸を閉鎖し、摘み部１５を把持して押し下げる事により、丸棒１３の先端部１３ｓが受金６０の穴部６３内に嵌入して開き戸が閉止されるのである。
丸棒１３を上方端又は下方端に位置させたときに、後に説明するが丸棒１３側に設けたストッパー用ボールが筒状案内部１２に設けられた貫通穴１８に適合して、丸棒１３の位置が固定されるところが本考案の第一の特徴である。
【００２３】
図２は、上記実施形態に係る丸落し１０の本体部１１側の全体中央縦断面図である。
この図により、丸棒１３の構造がよく見て取れる。
丸棒１３は、本体部１１の筒状案内部１２の内部で上下長手方向に摺動する。
筒状案内部１２の上下長手方向には同一間隔に貫通穴１８を３個設ける。
【００２４】
これら３個の貫通穴１８、１８、１８の下方の２個の貫通穴１８、１８に対応する丸棒１３の位置に孔部１３ｈ、１３ｈを穿設する。
こられの孔部１３ｈ、１３ｈのそれぞれの内部に弾発部材としてのコイルスプリング１７を挿入し、その開口端にはストッパー用ボールとしての鋼球１９を配備する。
【００２５】
これにより、コイルスプリング１７の作用により、鋼球１９が孔部１３ｈの開口部から出没自在と成る。
そして、丸棒１３の摘み部１５が把持されて長条穴部１４内で上下に往復動されるに応じて、その長条穴部１４の両端部の位置において、鋼球１９が筒状案内部１２の貫通穴１８と適合して、ストッパーの役目を果たして固定された状態となる。
従って、丸棒１３に設けられた孔部１３ｈ、１３ｈの間隔と、筒状案内部１２に設けられた貫通穴１８、１８、１８同士の間隔は同一となっており、また長条穴部１４の長手方向の長さもこれらの間隔と同一に形成している。
【００２６】
この実施形態では、説明の都合上、筒状案内部１２に列設した貫通穴１８、１８、１８を正面側に配置しているが、実際には、正面視左側に設け、正面側から見え難い位置に配置することができる。
これにより、筒状案内部１２の正面側には何も形成されていない状態となり、スマートな外観を呈することとなる。
【００２７】
上記実施形態において、丸棒１３の長さは約１５０ｍｍ、外径が約１２ｍｍで、丸棒１３に設けた孔部の内径は約３．５ｍｍであり、内設する鋼球の外径も略３．５ｍｍとし、筒状案内部１２に設けた貫通穴１８の内径は略３．０ｍｍとしている。
また、丸棒１２にコイルスプリング１７及び鋼球１９を配設するに際して、これらを孔部１３ｈ内に挿入後、その孔部１３ｈの開口部をポンチ等により打撃して開口部を一部変形させて鋼球１９等が外部に飛び出さないように形成している。
【００２８】
以上、一実施形態について説明したが、本考案においては、以下の通り種々設計変更することができる。
本体部及び受金の形状、サイズ、材質等は、種々必要に応じて設計変更可能である。
上記実施形態では、本体部の取付部から正面側に起立する起立部を設けているが、この起立部を設けずに実施することもできる。
【００２９】
筒状案内部の長手方向長さ、丸棒の長さ、貫通穴の個数、貫通穴の間隔長さ等も必要に応じて適宜変更することができる。
これに応じて丸棒の孔部の数等も適宜変更可能である。
摘み部の突出長さも自由であり、その外観形状も自由に設計することができる。
更に、鋼球のサイズ、筒状案内部の貫通穴の内径等も適宜変更でき、コイルスプリングも他の形態の弾発部材を利用することもできる。
丸棒の長手方向のストローク長さも自由に設定することができる。即ち、筒状案内部の長手方向長さも必要に応じて決定することができる。
【００３０】
受金は、従来の形式のものをそのまま採用することができる。
尚、勿論のことであるが、本考案に係る丸落しを横方向に配置して固定し、使用することができることは当然のことである。
以上、本考案は、簡易な構成にして、摘み部を往復動させるだけで、そのストローク終端部で同時にストッパー用ボールによって固定が可能となり、摘み部を回動させる必要が無く、しかも極めてその外観がスマートな丸落しを提案することができた。
【符号の説明】
【００３１】
１０  丸落し
１１  本体部
１１ｔ  取付部
１１ｋ  起立部
１２  筒状案内部
１３  丸棒
１３ｈ  孔部
１４  長条穴部
１５  摘み部
１７  コイルスプリング（弾発部材）
１８  貫通穴
１９  鋼球（ストッパー用ボール）
６０、６５  受金
孔部  ６３
【図１】
0003156694.tif 000003
【図２】
0003156694.tif 000004
【図３】
0003156694.tif 000005